(57)【要約】【課題】簡易な構成で遊技球の静電気を除去でき、且つ遊技盤の交換を簡単に行うことができる弾球遊技機を提供する。【解決手段】前面側に遊技球を用いた遊技を行う遊技領域が設けられる遊技盤１０と、遊技盤１０の前面側に取り付けられ、前記遊技領域を形成する内レールおよび外レール５５を有するレール飾り５０と、レール飾り５５の側部に取り付けられ、外レール５５に電気的に接続される導電材料製のアース部材６０と、遊技盤１０を保持する枠部材とを備え、遊技盤１０を前記枠部材に保持させると、アース部材６０が前記枠部材のアース手段に電気的に接続されて外レール５５が電気的に接地されるように構成される。【選択図】図４
2016129574.tif 000002
【特許請求の範囲】
【請求項１】
前面側に遊技球を用いた遊技を行う遊技領域が設けられる遊技盤と、
前記遊技盤の前面側に取り付けられ、前記遊技領域を形成する内レールおよび外レール
を有するレール飾りと、
前記レール飾りの側部に取り付けられ、前記外レールに電気的に接続される導電材料製
のアース部材と、
前記遊技盤を保持する枠部材とを備え、
前記遊技盤を前記枠部材に保持させると、前記アース部材が前記枠部材のアース手段に
電気的に接続されて前記外レールが電気的に接地されるように構成されたことを特徴とす
る弾球遊技機。
【請求項２】
前記アース部材は、導電樹脂材料製の接続部材を間に挟んで前記外レールに接触された
状態で前記レール飾りの側部に取り付けられることを特徴とする請求項１に記載の弾球遊
技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機では、遊技球として鉄系合金を主体とした金属
材料製の遊技球が使用されているが、この遊技球が移動する遊技球の貯留タンクや給排出
路等にはＡＢＳ樹脂やポリカーボネート樹脂等の樹脂材料が多く使用されており、遊技球
がこれらの部材と接触し擦り合って移動する間に静電気を帯びやすく、また一旦帯電する
とその電位を保持しやすいという特性がある。また、近年の弾球遊技機では、遊技の興趣
性を向上させるため、遊技機内部にはマイクロプロセッサを搭載した主制御基板をはじめ
、表示制御基板、音声制御基板、発射装置制御基板等の多種多様な電気制御回路が搭載さ
れている。これらの電子制御回路は、一般的に、短周期、高ピーク電圧のパルス状のノイ
ズに弱く、遊技球が蓄積した静電気ノイズによって制御上の誤作動が生じたり、回路に搭
載されたＩＣチップが破損する等の種々の障害が発生するおそれがある。
【０００３】
そのため、近年の弾球遊技機では、発射装置から発射された遊技球を遊技盤の遊技領域
に導くために遊技盤に取り付けられた案内レールにアース線を取り付け、このアース線を
遊技機本体のアース手段に接続することにより、発射装置から発射された遊技球が案内レ
ールに接触したときに遊技球から電荷を放出させて除電可能に構成された弾球遊技機が知
られている（例えば、特許文献１を参照）。
【先行技術文献】
【特許文献】
【０００４】
【特許文献１】特開２００２‐２５３７６４号公報
【発明の概要】
【発明が解決しようとする課題】
【０００５】
しかしながら、案内レールをアース線によって遊技機本体のアース手段に接続する従来
の弾球遊技機では、アース線の取り回しが煩雑となり、遊技盤を交換するときにアース線
の着脱作業も必要であるため多くの工数を要するという課題があった。
【０００６】
本発明は、このような課題に鑑みてなされたものであり、簡易な構成で遊技球の静電気
を除去でき、且つ遊技盤の交換を簡単に行うことができる弾球遊技機を提供することを目
的とする。
【課題を解決するための手段】
【０００７】
このような目的達成のため、本発明に係る弾球遊技機は、前面側に遊技球を用いた遊技
を行う遊技領域が設けられる遊技盤と、前記遊技盤の前面側に取り付けられ、前記遊技領
域を形成する内レールおよび外レールを有するレール飾りと、前記レール飾りの側部に取
り付けられ、前記外レールに電気的に接続される導電材料製のアース部材と、前記遊技盤
を保持する枠部材とを備え、前記遊技盤を前記枠部材に保持させると、前記アース部材が
前記枠部材のアース手段に電気的に接続されて前記外レールが電気的に接地されるように
構成される。
【発明の効果】
【０００８】
本発明によれば、簡易な構成で遊技球の静電気を除去でき、且つ遊技盤の交換を簡単に
行うことができる。
【図面の簡単な説明】
【０００９】
【図１】ぱちんこ遊技機からガラス枠を取り外した状態を示す正面図である。
【図２】ガラス枠を前方から見た斜視図である。
【図３】ぱちんこ遊技機の背面図である。
【図４】遊技盤に取り付けられるレール飾りおよび補強部材を前方から見た分解斜視図である。
【図５】遊技盤に取り付けられるレール飾りおよび補強部材を後方から見た分解斜視図である。
【図６】前枠の正面図である。
【図７】前枠を前方から見た斜視図である。
【図８】（ａ）は遊技盤が前枠に対して取り付けられた状態を示す平断面図であり、（ｂ）は遊技盤が前枠から離れる方向に揺動している状態を示す平断面図であり、（ｃ）は遊技盤が着脱位置まで揺動した状態を示す平断面図である。
【図９】レール飾りに取り付けられたアース部材が収容枠（前枠）のアース端子に接触した状態を示す平断面図である。
【図１０】遊技盤の変形例を示す前方から見た斜視図である。
【発明を実施するための形態】
【００１０】
以下、本発明の好ましい実施形態について図面を参照して説明する。本実施形態に係る
弾球遊技機の一例としてぱちんこ遊技機ＰＭを図１〜図３に示しており、まず、これらの
図を参照してぱちんこ遊技機ＰＭの全体構成について説明する。本実施形態において、図
２の各矢印で示す方向をそれぞれ、上下方向、前後方向、左右方向として説明する。
【００１１】
［ぱちんこ遊技機の全体構成］
始めに、ぱちんこ遊技機ＰＭの前面側の基本構造を説明する。ぱちんこ遊技機ＰＭは、
図１に示すように、外郭方形枠サイズに構成された縦向きの固定保持枠をなす外枠１と、
これに合わせた方形枠サイズに構成されて開閉搭載枠をなす前枠２とを有して構成される
。前枠２は、外枠１および前枠２の左側縁部に配設された上下のヒンジ機構３ａ，３ｂに
より、外枠１の前側開口部に対して横開き開閉および着脱が可能に取り付けられる。また
、前枠２は、右側縁部に設けられたダブル錠と称される施錠装置３００を利用して、常に
は外枠１と係合連結された閉鎖状態に保持される。
【００１２】
前枠２の前面側には、図２に示すように、この前枠２の前面域に合わせた方形状のガラ
ス枠５が上下のヒンジ機構３ａ，３ｂを利用して横開き開閉および着脱可能に組み付けら
れる。ガラス枠５は、上述の施錠装置３００を利用して、常には前枠２の前面を覆う閉鎖
状態に保持される。図１に示すように、前枠２の上側に設けられた収容枠１００に遊技盤
１０が着脱可能にセット保持され、常には閉鎖保持されるガラス枠５の複層ガラス５ａを
通して、遊技盤１０の前面に設けられた遊技領域ＰＡを視認可能に臨ませるようになって
いる。なお、遊技盤１０の構成については後述する。
【００１３】
図２に示すように、ガラス枠５の下部前面側には、遊技球を貯留する球皿ユニット２０
０の上下の球皿（上球皿２１０および下球皿２２０）が設けられる。上球皿２１０および
下球皿２２０は、ガラス枠５の左右の中心に対して左側に寄って配置される。これにより
、ガラス枠５の下部前面側の中央に、所定の演出操作を行うための演出操作装置２８０（
演出操作部２８１）が取り付けられる。また、ガラス枠５における演出操作装置２８０の
右方には、所定の演出設定操作を行うための演出設定操作スイッチ２９０や、遊技球の貸
球操作を行うための球貸し操作スイッチ２９５が取り付けられる。ガラス枠５の上部前面
側には、発光ダイオード（ＬＥＤ）やランプ等を備える電飾装置７や、遊技の展開状態に
応じて効果音を発生させるスピーカ８が設けられる。
【００１４】
図１に示すように、前枠２の右下部には、遊技球の発射操作を行う発射ハンドル９が設
けられる。前枠２の下部におけるガラス枠５の後側の遊技補助盤２０には、上球皿２１０
に貯留された遊技球を１球ずつ送り出す整流器２１、整流器２１から送り出された遊技球
を遊技領域ＰＡに向けて打ち出す発射機構２２、発射機構２２の作動を制御する発射制御
基板２３等が設けられる。
【００１５】
続いて、ぱちんこ遊技機ＰＭの後面側の基本構造を説明する。図３に示すように、前枠
２の後面側には、中央に前後連通する窓口を有して前枠２よりも幾分小型の矩形枠状に形
成された裏機構盤３０が取り付けられている。裏機構盤３０の各部には、遊技施設側から
供給される遊技球を貯留するタンク部材３３、タンク部材３３から供給される遊技球を流
下させる樋部材３４、樋部材３４を流下する遊技球を払い出す賞球払出ユニット３５、賞
球払出ユニット３５から払い出された遊技球を上球皿２１０もしくは下球皿２２０に流下
させる裏側通路部材３６等が設けられている。また、裏機構盤３０には、遊技盤１０の後
側を全体的に覆う遊技盤カバー３９が取り付けられる。
【００１６】
遊技盤１０の後面側であって遊技盤カバー３９内には、ぱちんこ遊技機ＰＭの作動を統
括的に制御する主制御基板（図示せず）や、遊技展開に応じた画像表示、効果照明、効果
音等の演出全般の制御を行う副制御基板（図示せず）等が取り付けられている。これに対
して、裏機構盤３０の後面側には、遊技球の払い出しに関する制御を行う払出制御基板４
２や、遊技施設側から受電して各種制御基板や電気・電子部品に電力を供給する電源基板
４３等が取り付けられている。これらの制御基板とぱちんこ遊技機ＰＭ各部の電気・電子
部品とがハーネス（コネクタケーブル）で接続されて、ぱちんこ遊技機ＰＭが作動可能に
構成されている。
【００１７】
ぱちんこ遊技機ＰＭは、外枠１が遊技施設の遊技島（設置枠台）に固定設置され、前枠
２、ガラス枠５等が閉鎖施錠された状態で遊技に供され、上球皿２１０に遊技球を貯留さ
せて発射ハンドル９を回動操作することにより遊技が開始される。発射ハンドル９が回動
操作されると、上球皿２１０に貯留された遊技球が、整流器２１によって１球ずつ発射機
構２２に送り出され、発射機構２２により遊技領域ＰＡに打ち出されて、以降パチンコゲ
ームが展開される。
【００１８】
［遊技盤の構成］
次に、図４および図５を参照して、収容枠１００に着脱可能にセット保持される遊技盤
１０の詳細について説明する。遊技盤１０は、図４および図５に示すように、透明の樹脂
材料を用いて板状に形成される。遊技盤１０の前面側には、遊技盤１０の前面に略円形状
の遊技領域ＰＡを形成するレール飾り５０が取り付けられる。詳細な図示を省略するが、
遊技盤１０の遊技領域ＰＡには、多数本の遊技釘とともに、遊技球が入球可能な一般入賞
装置、始動入賞装置、大入賞装置等の各種入賞装置（図示せず）、遊技の展開状態に応じ
て演出を行う演出表示装置、可動装飾装置を備えたセンター飾り（図示せず）等が取り付
けられている。また、遊技領域ＰＡの中央下端部には、遊技球が通過可能なアウト口１８
が形成されている。
【００１９】
レール飾り５０は、上下に延びるとともにその上端部から右方に延びる略逆Ｌ字状に樹
脂材料を用いて形成された第１レール飾り５１と、樹脂材料を用いて略Ｕ字状に形成され
た第２レール飾り５２とを有して構成される。第１レール飾り５１の内側面は、下側が開
いた円弧状に形成されており、その内側面に導電材料（例えば金属材料）を用いて薄板状
に形成された外レール部材５５が取り付けられる。第２レール部材５２の左側部は、内外
両面ともに円弧状に形成されており、その左外側面と第１レール飾り５１に取り付けられ
た外レール部材５５とが所定間隔を空けて配設されることにより、発射機構２２により打
ち出された遊技球を遊技領域ＰＡに導く発射通路１５（図１を参照）が形成される。レー
ル飾り５０は、第１および第２レール飾り５１，５２の２つの部材が組み合わされること
により、第１および第２レール飾り５１，５２の内側に略円形状の遊技領域ＰＡが形成さ
れるようになっている。
【００２０】
第１レール飾り５１の左外側面には、上下に延びるとともに上下断面においてＬ字状に
導電材料（例えば金属材料）を用いて形成されたアース部材６０が取り付けられる。第１
レール飾り５１の左外側面のアース部材６０が取り付けられる位置には、第１レール飾り
５１に取り付けられた外レール部材５５に接続可能な開口部５１ａが形成されている。こ
の開口部５１ａを介して、アース部材６０は、導電樹脂材料を用いて形成された弾力性（
クッション性）のある接続部材６５を間に挟んで外レール部材５５に接触した状態で、第
１レール飾り５１に取り付けられている。
【００２１】
遊技盤１０の後面側には、樹脂製の遊技盤１０の強度を補う補強部材７０が取り付けら
れる。補強部材７０は、樹脂材料を用いて下側に開いたコ字状に形成された第１補強部材
７１と、樹脂材料を用いて上側に開いたコ字状に形成された第２補強部材７２とを有して
構成される。補強部材７０は、第１および第２補強部材７１，７２の２つの部材が上下に
組み合わされた状態で、遊技盤１０の後面側に取り付けられる。レール飾り５０および補
強部材７０は、互いに係止可能に形成された係止部（パッチン構造）により間に遊技盤１
０を挟み込んだ状態で係止保持される。このような係止構造により、レール飾り５０およ
び補強部材７０を遊技盤１０に取り付けるネジの本数を削減することができる。
【００２２】
［収容枠の構成］
次に、図６〜図８を追加参照して、前枠２の上側に設けられた収容枠１００の詳細につ
いて説明する。収容枠１００は、図６および図７に示すように、前枠２の上部から中央に
掛けて形成される。収容枠１００の左辺部上側には、遊技盤１０の左上部前面側を支持す
る上部揺動支持部１０１が形成される。上部揺動支持部１０１は、収容枠１００の内側（
右方）に突出する板状に形成される。収容枠１００の左辺部下側には、遊技盤１０の左下
部前面側を支持する第１下部揺動支持部１０３が形成される。第１下部揺動支持部１０３
は、上部揺動支持部１０１と同様に、収容枠１００の内側（右方）に突出する板状に形成
される。収容枠１００の下辺部左端には、遊技盤１０の左下部底面側を支持する第２下部
揺動支持部１０４が形成される。第２下部揺動支持部１０４は、遊技盤１０の左下部底面
側が摺動可能な平板状に形成される。上部揺動支持部１０１、第１下部揺動支持部１０３
および第２下部揺動支持部１０４は、遊技盤１０が収容枠１００に保持される保持位置（
図８（ａ）を参照）と、収容枠１００に対して遊技盤１０を着脱可能な着脱位置（図８（
ｃ）を参照）との間で、遊技盤１０を揺動可能に支持するようになっている。
【００２３】
収容枠１００の下辺部左側には、遊技盤１０を揺動させ易くするためのガイドリブ１０
５が形成される。ガイドリブ１０５は、第２下部揺動支持部１０４の右側に隣接して形成
される。収容枠１００の下辺部中央には、遊技盤１０の中央下部底面側を支持する下側支
持部１０７が形成される。また、収容枠１００の左辺部上側における上部揺動支持部１０
１の後方には、上部押さえ部材１１１が取り付けられる。上部押さえ部材１１１は、板バ
ネ等の弾性力を有する金属板材を用いて形成され、遊技盤１０の左上部後面側を前方に（
上部揺動支持部１０１の方に）押さえるようになっている。収容枠１００の左辺部下側に
おける第１下部揺動支持部１０３の後方には、下部押さえ部材１１２が取り付けられる。
下部押さえ部材１１２は、上部押さえ部材１１１と同様に形成され、遊技盤１０の左下部
後面側を前方に（第１下部揺動支持部１０３の方に）押さえるようになっている。
【００２４】
収容枠１００の上辺部右側には、保持位置に揺動した遊技盤１０の右上部を係脱可能に
固定保持する上部ロック機構１２１が設けられる。収容枠１００の下辺部右側には、保持
位置に揺動した遊技盤１０の右下部を係脱可能に固定保持する下部ロック機構１２２が設
けられる。なお、前枠２における収容枠１００の右上方部分の前面側に、前枠２に対する
ガラス枠５の開閉を検出する上部開閉センサ１３１が設けられる。また、前枠２における
収容枠１００の右下方部分の前面側に、前枠２に対するガラス枠５の開閉を検出する下部
開閉センサ１３２が設けられる。
【００２５】
このように構成される収容枠１００に遊技盤１０を装着するには、まず、図８（ｃ）に
示すように、上述の着脱位置において、遊技盤１０の左側部を上部揺動支持部１０１およ
び第１下部揺動支持部１０３の後側の空間に挿入し、遊技盤１０をセットする。次に、図
８（ｂ）に示すように、着脱位置においてセットされた遊技盤１０を後方に向けて揺動さ
せる。そして、図８（ａ）に示すように、遊技盤１０を上述の保持位置まで揺動させる。
これにより、遊技盤１０の右上部が上部ロック機構１２１に固定保持されるとともに、遊
技盤１０の右下部が下部ロック機構１２２に固定保持された状態となり、保持位置に揺動
した遊技盤１０が収容枠１００にセット保持される。
【００２６】
このように遊技盤１０が収容枠１００にセット保持されると、図９に示すように、遊技
盤１０に取り付けられたレール飾り５０（第１レール飾り５１）の左外側面に取り付けら
れたアース部材６０が収容枠１００に設けられたアース端子１５０と接触する（電気的に
接続される）。そのため、上述のようにアース部材６０が導電性を有する接続部材６５を
間に挟んで外レール部材５５に接触されている（電気的に接続されている）ので、外レー
ル部材５５が電気的に接地された状態となる。従って、発射機構２２により打ち出された
遊技球が外レール部材５５に接触したときに、遊技球の電荷を放出させて静電気を除去す
ることができる。なお、アース部材６０とアース端子１５０も、上述の接続部材６５と同
様に、導電樹脂材料を用いて形成された弾力性（クッション性）のある接続部材を間に挟
んで接触するようになっている。
【００２７】
このように、本実施形態に係る弾球遊技機ＰＭによれば、遊技盤１０に取り付けられた
レール飾り５０（第１レール飾り５１）の左外側面に取り付けられ、外レール部材５５に
電気的に接続された導電材料製のアース部材６０を備え、遊技盤１０が収容枠１００にセ
ット保持されると、アース部材６０が収容枠１００のアース端子１５０に接触して（電気
的に接続されて）外レール部材５５が電気的に接地されるようになっている。そのため、
従来のようにアース線の接続作業を行う必要がなく、遊技盤１０を収容枠１００にセット
保持させると同時に外レール部材５５の接地を行うことができる。また、アース線の接続
作業を行う必要がないため、遊技盤１０の交換作業も簡単に行うことができる。
【００２８】
また、近年の弾球遊技機では、遊技の興趣性を向上させるために遊技領域ＰＡを可能な
限り広く確保したいという要望があり、そのためには、レール飾り５０の幅寸法を小さく
（細く）する必要がある。しかしながら、レール飾り５０の幅寸法を小さくすると、レー
ル飾り５０が樹脂材料を用いて形成されていることもあり、強度的に不足する部分が生じ
る。そこで、本実施形態に係る弾球遊技機ＰＭによれば、レール飾り５０の強度不足が生
じる部分（幅寸法が小さい部分）にアース部材６０が取り付けられる構成であるため、ア
ース部材６０によりレール飾り５０の強度を補うことができる。
【００２９】
また、本実施形態に係る弾球遊技機ＰＭによれば、レール飾り５０が第１および第２レ
ール飾り５１，５２の２つの部材に分割されて構成されており、補強部材７０も第１およ
び第２補強部材７１，７２の２つの部材に分割されて構成されている。そのため、樹脂材
料を用いて成型するときに、レール飾り５０および補強部材７０を一体成型するよりも、
ひずみや歪みの影響を受け難く、不良品の発生を少なくすることができる。
【００３０】
これまで本発明の好ましい実施形態について説明してきたが、本発明の範囲はこれに限
定されるものではない。例えば、上述の実施形態では、遊技盤１０が樹脂材料を用いて形
成されているが、図１０に示すように、例えば、矩形状の積層合板に所定の図柄が印刷さ
れたセルを貼り付けて成型される構成の遊技盤１０′としてもよい。このような積層合板
製の遊技盤１０′の場合には、強度的に十分であるため、上述の補強部材７０は不要とな
る。
【００３１】
また、上述の実施形態では、アース部材６０が導電性を有する接続部材６５を間に挟ん
で外レール部材５５に接触されている（電気的に接続されている）が、アース部材６０が
外レール部材５５に直接接触して電気的に接続される構成としてもよい。
【００３２】
上述の実施形態において、本発明が適用される弾球遊技機の一例として、ぱちんこ遊技
機を例示して説明したが、これに限定されるものではなく、例えば、アレンジボール遊技
機、雀球遊技機、ＥＣＯ遊技機（封入式ぱちんこ遊技機）などの他の弾球遊技機について
も同様に適用し、同様の効果を得ることができる。
【符号の説明】
【００３３】
ＰＭ    ぱちんこ遊技機（弾球遊技機）
ＰＡ    遊技領域
２    前枠（枠部材）
１０    遊技盤
５０    レール飾り
５１    第１レール飾り
５２    第２レール飾り
５５    外レール部材（外レール）
６０    アース部材
６５    接続部材
１００  収容枠
【図１】
2016129574.tif 000003
【図２】
2016129574.tif 000004
【図３】
2016129574.tif 000005
【図４】
2016129574.tif 000006
【図５】
2016129574.tif 000007
【図６】
2016129574.tif 000008
【図７】
2016129574.tif 000009
【図８】
2016129574.tif 000010
【図９】
2016129574.tif 000011
【図１０】
2016129574.tif 000012